(57)【要約】【課題】本発明は、簡易な方法により、一度削除したコンテンツを容易に再取得できるようにする。【解決手段】本発明は、地上ディジタル受信機５と、当該地上ディジタル受信機５に対して映像コンテンツを提供するＶＯＤサーバ３とによって構成され、地上ディジタル受信機５は、映像コンテンツをＶＯＤサーバ３から取得し、その映像コンテンツをコンテンツリストＣＬに従ってハードディスクドライブ１８に記憶管理し、当該映像コンテンツをユーザからの命令に従ってハードディスクドライブ１８から消去し、その時、ＶＯＤサーバ３から通知されたアクセス先をコンテンツリストＣＬに対応付けて管理することにより、消去済み映像コンテンツを再度視聴する際にもＶＯＤサーバ３から直ちに取得することができる。【選択図】図１
2009071456.tif 000002
【特許請求の範囲】
【請求項１】
コンテンツ記録再生装置と、当該コンテンツ記録再生装置に対してコンテンツを提供するコンテンツ提供サーバとによって構成されるコンテンツ提供システムであって、
上記コンテンツ記録再生装置は、
上記コンテンツを上記コンテンツ提供サーバから取得するコンテンツ取得手段と、
上記コンテンツ取得手段によって取得した上記コンテンツをコンテンツリストに従って記憶媒体に記憶管理する記憶手段と、
上記記憶媒体に記憶した上記コンテンツをユーザからの命令に従って消去するコンテンツ消去手段と、
上記コンテンツを消去したとき、上記コンテンツ提供サーバから通知された上記コンテンツのアクセス先情報を上記コンテンツリストに対応付けて管理するコンテンツ管理手段と
を具え、
上記コンテンツ提供サーバは、
上記コンテンツ記録再生装置からの要求に従って上記コンテンツを提供するコンテンツ送信手段と、
上記コンテンツ記録再生装置の上記コンテンツ消去手段によって上記コンテンツが消去されたことを認識すると、当該コンテンツの格納場所を示す固有の上記アクセス先情報を上記コンテンツ記録再生装置へ通知するアクセス先情報通知手段と
を具えることを特徴とするコンテンツ提供システム。
【請求項２】
上記コンテンツ提供サーバの上記アクセス先情報通知手段は、上記アクセス先情報を通知すると共に、上記コンテンツに対する視聴権利を上記コンテンツ記録再生装置へ供給し、
上記コンテンツ記録再生装置の上記コンテンツ管理手段は、上記アクセス先情報の通知を受けると共に上記視聴権利を取得する
ことを特徴とする請求項１に記載のコンテンツ提供システム。
【請求項３】
上記コンテンツ提供サーバは、
上記アクセス先情報通知手段により上記視聴権利を供給する際、上記コンテンツ記録再生装置に対して所定の課金処理を行う課金手段と
を具えることを特徴とする請求項２に記載のコンテンツ提供システム。
【請求項４】
上記コンテンツ記録再生装置の上記コンテンツ消去手段は、上記コンテンツを消去する際、その一部だけを残す
ことを特徴とする請求項１に記載のコンテンツ提供システム。
【請求項５】
上記コンテンツ記録再生装置の上記コンテンツ消去手段は、上記コンテンツを消去する際、当該コンテンツの代表的なシーンを示す静止画だけを残す
ことを特徴とする請求項１に記載のコンテンツ提供システム。
【請求項６】
コンテンツ記録再生装置に対してコンテンツ提供サーバからコンテンツを提供するコンテンツ提供方法であって、
上記コンテンツ記録再生装置からの要求に従って上記コンテンツ提供サーバのコンテンツ送信手段から当該コンテンツ記録再生装置へ上記コンテンツを提供するコンテンツ送信ステップと、
上記コンテンツ送信ステップで提供される上記コンテンツを上記コンテンツ記録再生装置のコンテンツ取得手段によって取得させるコンテンツ取得ステップと、
上記コンテンツ取得ステップで取得させた上記コンテンツをコンテンツリストに従い、上記コンテンツ記録再生装置の記憶媒体に対して記憶管理させるコンテンツ記憶ステップと、
上記コンテンツ記憶ステップで上記記憶媒体に記憶させた上記コンテンツを上記コンテンツ記録再生装置のコンテンツ消去手段によりユーザからの命令に従って消去するコンテンツ消去ステップと、
上記コンテンツ消去ステップで上記コンテンツが消去されたことを上記コンテンツ提供サーバが認識すると、当該コンテンツ提供サーバが所持している当該コンテンツの格納場所を示す固有のアクセス先情報をアクセス先情報通知手段により上記コンテンツ記録再生装置へ通知するアクセス先情報通知ステップと、
上記コンテンツを消去した時、上記コンテンツ記録再生装置のコンテンツ管理手段により、上記アクセス先情報通知ステップで通知された上記アクセス先情報を上記コンテンツリストに対応付けて管理するコンテンツ管理ステップと
を具えることを特徴とするコンテンツ提供方法。
【請求項７】
コンテンツ提供サーバからコンテンツの提供を受け、当該コンテンツを記録又は再生するコンテンツ記録再生装置であって、
上記コンテンツ記録再生装置からの要求に応じた上記コンテンツを上記コンテンツ提供サーバから取得するコンテンツ取得手段と、
上記コンテンツ取得手段によって取得した上記コンテンツをコンテンツリストに従って記憶媒体に記憶管理する記憶手段と、
上記記憶媒体に記憶した上記コンテンツをユーザからの命令に従って消去するコンテンツ消去手段と、
上記コンテンツを消去した時、上記コンテンツ提供サーバから通知された上記コンテンツのアクセス先情報を上記コンテンツリストに対応付けて管理するコンテンツ管理手段と
を具えることを特徴とするコンテンツ記録再生装置。
【請求項８】
上記コンテンツ管理手段は、上記アクセス先情報の通知を受けると共に、上記コンテンツ提供サーバから供給された上記コンテンツに対する視聴権利を取得する
ことを特徴とする請求項７に記載のコンテンツ記録再生装置。
【請求項９】
上記コンテンツ管理手段は、
上記コンテンツ提供サーバから上記視聴権利を取得する際、上記コンテンツ提供サーバにより当該視聴権利のための課金処理を受ける
ことを特徴とする請求項８に記載のコンテンツ記録再生装置。
【請求項１０】
上記コンテンツ消去手段は、上記コンテンツを消去する際、その一部だけを残す
ことを特徴とする請求項７に記載のコンテンツ記録再生装置。
【請求項１１】
上記コンテンツ消去手段は、上記コンテンツを消去する際、当該コンテンツの代表的なシーンを示す静止画だけを残す
ことを特徴とする請求項７に記載のコンテンツ記録再生装置。
【請求項１２】
コンテンツ提供サーバからコンテンツの提供を受け、当該コンテンツを記録又は再生するコンテンツ記録再生方法であって、
上記コンテンツ提供サーバから供給される上記コンテンツをコンテンツ取得手段により取得するコンテンツ取得ステップと、
上記コンテンツ取得ステップで取得した上記コンテンツを記憶手段によりコンテンツリストに従って記憶媒体に記憶管理するコンテンツ記憶ステップと、
上記コンテンツ記憶ステップで上記記憶媒体に記憶した上記コンテンツを、所定のコンテンツ消去手段により、ユーザからの命令に従って消去するコンテンツ消去ステップと、
上記コンテンツ消去ステップで上記コンテンツを消去した時、所定のコンテンツ管理手段により、上記コンテンツ提供サーバから通知された上記コンテンツのアクセス先情報を上記コンテンツリストに対応付けて管理するコンテンツ管理ステップと
を具えることを特徴とするコンテンツ記録再生方法。
【請求項１３】
コンテンツ提供サーバからコンテンツの提供を受け、当該コンテンツを記録又は再生するコンピュータ構成でなるコンテンツ記録再生装置に対し、
上記コンテンツ提供サーバから供給される上記コンテンツをコンテンツ取得手段により取得するコンテンツ取得ステップと、
上記コンテンツ取得ステップで取得した上記コンテンツをコンテンツリストに従って記憶媒体に記憶管理するコンテンツ記憶ステップと、
上記コンテンツ記憶ステップで上記記憶媒体に記憶した上記コンテンツを、所定のコンテンツ消去手段により、ユーザからの命令に従って消去するコンテンツ消去ステップと、
上記コンテンツ消去ステップで上記コンテンツを消去した時、所定のコンテンツ管理手段により、上記コンテンツ提供サーバから通知された上記コンテンツのアクセス先情報を上記コンテンツリストに対応付けて管理するコンテンツ管理ステップと
を実行させることを特徴とするコンテンツ受信側管理プログラム。
【請求項１４】
コンテンツ記録再生装置に対してコンテンツを提供するコンテンツ提供サーバであって、
上記コンテンツ記録再生装置からの要求に従って上記コンテンツを提供するコンテンツ送信手段と、
上記コンテンツ記録再生装置が上記コンテンツを記憶した記憶媒体からユーザの命令に従って当該コンテンツが消去されたことを認識すると、当該コンテンツの格納場所を示す固有の上記アクセス先情報を上記コンテンツ記録再生装置へ通知するアクセス先情報通知手段と
を具えることを特徴とするコンテンツ提供サーバ。
【請求項１５】
上記アクセス先情報通知手段は、上記アクセス先情報を通知すると共に、上記コンテンツに対する視聴権利を上記コンテンツ記録再生装置へ供給する
ことを特徴とする請求項１４に記載のコンテンツ提供サーバ。
【請求項１６】
上記コンテンツ提供サーバは、
上記アクセス先情報通知手段により上記視聴権利を供給する際、上記コンテンツ記録再生装置に対して所定の課金処理を行う課金手段と
を具えることを特徴とする請求項１５に記載のコンテンツ提供サーバ。
【請求項１７】
コンテンツ記録再生装置に対してコンテンツ提供サーバからコンテンツを提供するコンテンツ提供方法であって、
上記コンテンツ記録再生装置からの要求に従って所定のコンテンツ送信手段により上記コンテンツを提供するコンテンツ提供ステップと、
上記コンテンツ記録再生装置が上記コンテンツを記憶した記憶媒体からユーザの命令に従って当該コンテンツが消去されたことを認識すると、所定のアクセス先情報通知手段により、当該コンテンツの格納場所を示す固有の上記アクセス先情報を上記コンテンツ記録再生装置へ通知するアクセス先情報通知ステップと
を具えることを特徴とするコンテンツ提供方法。
【請求項１８】
コンテンツ記録再生装置に対してコンテンツを提供するコンピュータ構成でなるコンテンツ提供サーバに対し、
上記コンテンツ記録再生装置からの要求に従って所定のコンテンツ送信手段により上記コンテンツを提供するコンテンツ提供ステップと、
上記コンテンツ記録再生装置が上記コンテンツを記憶した記憶媒体からユーザの命令に従って当該コンテンツが消去されたことを認識すると、所定のアクセス先情報通知手段により、当該コンテンツの格納場所を示す固有の上記アクセス先情報を上記コンテンツ記録再生装置へ通知するアクセス先情報通知ステップと
を実行させることを特徴とするコンテンツ提供側管理プログラム。
【発明の詳細な説明】
【技術分野】
【０００１】
本発明は、コンテンツ提供システム、コンテンツ提供方法、コンテンツ記録再生装置、コンテンツ記録再生方法、コンテンツ受信側管理プログラム、コンテンツ提供サーバ、コンテンツ提供方法及びコンテンツ提供側管理プログラムに関し、例えば映像コンテンツを記録再生するハードディスクレコーダと、その映像コンテンツを配信するＶＯＤ（ビデオオンデマンド）サーバとからなるビデオオンデマンドシステムに適用して好適なものである。
【背景技術】
【０００２】
従来、消費者が持参してきた記録媒体に記録されているコンテンツデータ及び権利情報を含むデジタルデータを読み取ると共に、当該読み取ったデジタルデータにおける権利情報の一部あるいは全部を削除し、その削除した権利情報に応じた料金を返金するようにしたデータ権利買取販売装置がある（例えば、特許文献１参照）。
【特許文献１】特開2002-123700公報
【発明の開示】
【発明が解決しようとする課題】
【０００３】
ところでかかる構成のデータ権利買取販売装置においては、権利情報を削除してしまったコンテンツデータを再度取得したいとき、当該コンテンツデータを取得するための操作を最初からユーザに対してやり直させることになり、面倒な操作を強いることになるという問題があった。
【０００４】
本発明は以上の点を考慮してなされたもので、簡易な方法により、一度削除したコンテンツを容易に再取得可能なコンテンツ提供システム、コンテンツ提供方法、コンテンツ記録再生装置、コンテンツ記録再生方法、コンテンツ受信側管理プログラム、コンテンツ提供サーバ、コンテンツ提供方法及びコンテンツ提供側管理プログラムを提案しようとするものである。
【課題を解決するための手段】
【０００５】
かかる課題を解決するため本発明のコンテンツ提供システムにおいては、コンテンツ記録再生装置と、当該コンテンツ記録再生装置に対してコンテンツを提供するコンテンツ提供サーバとによって構成され、コンテンツ記録再生装置は、コンテンツをコンテンツ提供サーバから取得するコンテンツ取得手段と、当該コンテンツ取得手段によって取得したコンテンツをコンテンツリストに従って記憶媒体に記憶管理する記憶手段と、当該記憶媒体に記憶したコンテンツをユーザからの命令に従って消去するコンテンツ消去手段と、当該コンテンツを消去した時、コンテンツ提供サーバから通知されたコンテンツのアクセス先情報をコンテンツリストに対応付けて管理するコンテンツ管理手段とを具え、コンテンツ提供サーバは、コンテンツ記録再生装置からの要求に従ってコンテンツを提供するコンテンツ送信手段と、コンテンツ記録再生装置のコンテンツ消去手段によってコンテンツが消去されたことを認識すると、当該コンテンツの格納場所を示す固有のアクセス先情報をコンテンツ記録再生装置へ通知するアクセス先情報通知手段とを設けるようにする。
【０００６】
これによりコンテンツ記録再生装置では、記憶媒体からコンテンツを消去することにより当該記憶媒体の空き容量を格段的に増加させられるだけでなく、コンテンツ提供サーバが所持している当該コンテンツのアクセス先情報をコンテンツリストに対応付けて管理することが出来るので、消去したコンテンツを再度視聴する際にもコンテンツ提供サーバから直ちに取得することができる。またコンテンツ記録再生装置は、消去したコンテンツについてもコンテンツリストにより管理しているため、記憶媒体に記憶しているコンテンツに加えてコンテンツ提供サーバで所持しているコンテンツをも選択対象とすることができるので、あたかも記憶媒体の容量を拡大したかのような効果を得ることもできる。
【０００７】
また本発明のコンテンツ記録再生装置においては、当該コンテンツ記録再生装置からの要求に応じたコンテンツをコンテンツ提供サーバから取得するコンテンツ取得手段と、当該コンテンツ取得手段によって取得したコンテンツをコンテンツリストに従って記憶媒体に記憶管理しておく記憶手段と、当該記憶媒体に記憶したコンテンツをユーザからの命令に従って消去するコンテンツ消去手段と、コンテンツを消去した時のコンテンツリストに、コンテンツ提供サーバから通知されたコンテンツのアクセス先情報を対応付けて管理するコンテンツ管理手段とを設けるようにする。
【０００８】
これによりコンテンツ記録再生装置では、記憶媒体からコンテンツを消去することにより当該記憶媒体の空き容量を格段的に増加させられるだけでなく、コンテンツ提供サーバが所持している当該コンテンツのアクセス先情報をコンテンツリストに対応付けて管理することが出来るので、消去したコンテンツを再度視聴する際にもコンテンツ提供サーバから直ちに取得することができる。またコンテンツ記録再生装置は、消去したコンテンツについてもコンテンツリストにより管理しているため、記憶媒体に記憶しているコンテンツに加えてコンテンツ提供サーバで所持しているコンテンツをも選択対象とすることができるので、あたかも記憶媒体の容量を拡大したかのような効果を得ることもできる。
【０００９】
さらに本発明のコンテンツ提供サーバにおいては、コンテンツ記録再生装置からの要求に従ってコンテンツを提供するコンテンツ送信手段と、コンテンツ記録再生装置がコンテンツを記憶した記憶媒体からユーザの命令に従って当該コンテンツが消去されたことを認識すると、当該コンテンツの格納場所を示す固有のアクセス先情報をコンテンツ記録再生装置へ通知するアクセス先情報通知手段とを設けるようにする。
【００１０】
これによりコンテンツ提供サーバでは、コンテンツ記録再生装置が消去したコンテンツのアクセス先情報を通知することが出来るので、当該コンテンツ記録再生装置に対して、一度消去したコンテンツであっても、アクセス先情報を基に直ちに再度取得させることができる。
【発明の効果】
【００１１】
本発明によれば、記憶媒体からコンテンツを消去することにより当該記憶媒体の空き容量を格段的に増加させられるだけでなく、コンテンツ提供サーバが所持している当該コンテンツのアクセス先情報をコンテンツリストに対応付けて管理することが出来るので、消去したコンテンツを再度視聴する際にもコンテンツ提供サーバから直ちに取得することができ、かくして簡易な方法により、一度削除したコンテンツを容易に再取得可能なコンテンツ提供システム及びコンテンツ提供方法を実現することができる。
【００１２】
また本発明によれば、記憶媒体からコンテンツを消去することにより当該記憶媒体の空き容量を格段的に増加させられるだけでなく、コンテンツ提供サーバが所持している当該コンテンツのアクセス先情報をコンテンツリストに対応付けて管理することが出来るので、消去したコンテンツを再度視聴する際にもコンテンツ提供サーバから直ちに取得することができる。またコンテンツ記録再生装置は、消去したコンテンツについてもコンテンツリストにより管理しているため、記憶媒体に記憶しているコンテンツに加えてコンテンツ提供サーバで所持しているコンテンツをも選択対象とすることができるので、あたかも記憶媒体の容量を拡大したかのような効果を得ることもでき、かくして簡易な方法により、一度削除したコンテンツを容易に再取得可能なコンテンツ記録再生装置、コンテンツ記録再生方法及びコンテンツ受信側管理プログラムを実現することができる。
【００１３】
さらに本発明によれば、コンテンツ提供サーバでは、コンテンツ記録再生装置が消去したコンテンツのアクセス先情報を通知することが出来るので、当該コンテンツ記録再生装置に対して、一度消去したコンテンツであっても、アクセス先情報を基に直ちに再度取得させることができ、かくして簡易な方法により、一度削除したコンテンツをコンテンツ記録再生装置に対して容易に再取得可能なコンテンツ提供サーバ、コンテンツ提供方法及びコンテンツ提供側管理プログラムを実現することができる。
【発明を実施するための最良の形態】
【００１４】
以下、図面について、本発明の一実施の形態を詳述する。
【００１５】
（１）ビデオオンデマンドシステムの全体構成
図１において、１は全体として本発明のコンテンツ提供システムとしてのビデオオンデマンド（ＶＯＤ）システムを示し、放送局２から東京タワー等の放送塔４を介して放送される地上ディジタル放送波を地上ディジタル受信機５によって受信する。
【００１６】
地上ディジタル受信機５は、地上ディジタル放送波を復調等することによりユーザ所望のチャンネルの映像コンテンツを復元し、その映像コンテンツの映像をテレビ６に表示することによりユーザに対して視聴させ得るようになされている。
【００１７】
また地上ディジタル受信機５は、インターネット７を介して放送局２のＶＯＤサーバ３と接続されており、ユーザ所望の映像コンテンツをユーザが所望のタイミングで要求したことに応じて当該ＶＯＤサーバ３から当該映像コンテンツを取得し得るようになされている。
【００１８】
ここで放送局２のＶＯＤサーバ３は、過去に放送した映像コンテンツ、その他種々の映像コンテンツを多数格納しており、地上ディジタル受信機５から要求された映像コンテンツをインターネット７経由で提供し得るようになされている。
【００１９】
（２）地上ディジタル受信機の構成
図２に示すように地上ディジタル受信機５は、ＣＰＵ(Central  Processing  Unit)構成でなる制御部１０が全体を統括制御しており、図示しないＲＯＭ(Read  Only  Memory)又はハードディスクドライブ１８に格納された基本プログラムに従って全体を統括制御するようになされている。
【００２０】
実際上、地上ディジタル受信機５はアンテナＡＮＴを介して受信した地上ディジタル放送波信号Ｓ１を選局部１１によりユーザ所望のチャンネルに対応した放送波信号Ｓ２だけを抽出し、それを復調部１２へ送出する。
【００２１】
復調部１２は、放送波信号Ｓ２に対して例えばＯＦＤＭ(Orthogonal  Frequency  Division  Multiplexing)復調処理等を施すことにより、ディジタルコンテンツデータＤ３を生成し、これを誤り訂正部１３へ送出する。
【００２２】
誤り訂正部１３は、ディジタルコンテンツデータＤ３に対して所定の誤り訂正処理を施すことにより、放送局２から送出された状態のトランスポートストリームデータ（以下、これをＴＳデータと呼ぶ。）Ｄ４を復元し、これを多重分離部１４へ送出する。
【００２３】
多重分離部１４は、ＴＳデータＤ４のＴＳパケットに含まれている映像パケットＰ１及び音声パケットＰ２と、データ放送パケットＰ３とを分離し、映像パケットＰ１及び音声パケットＰ２についてはＭＰＥＧ(Moving  Picture  Experts  Group)デコード部１５へ送出すると共に、データ放送パケットＰ３については制御部１０へ送出する。
【００２４】
ＭＰＥＧデコード部１５は、映像パケットＰ１及び音声パケットＰ２に対してＭＰＥＧ２規格に準拠した方法でＭＰＥＧデコード処理を施し、元の映像信号Ｓ５及び音声信号Ｓ６を復元し、映像信号Ｓ５を画像重畳部１６へ送出すると共に、音声信号Ｓ６を音声出力部１７へ送出する。
【００２５】
画像重畳部１６は、ＭＰＥＧデコード部１５によりＭＰＥＧデコード処理された映像信号Ｓ５と、制御部１０によりデータ放送パケットＰ３が処理された結果得られるデータ放送の画像や字幕等とを重ね合わせ、後段のＬＣＤ(Liquid  Crystal  Display)等でなる表示部（図示せず）へ出力する。音声出力部１７は、ＭＰＥＧデコード部１５から供給された音声信号Ｓ６を所定レベルに増幅した後、後段のスピーカ（図示せず）へ出力する。
【００２６】
ところで制御部１０は、ＭＰＥＧ２規格に準拠して圧縮されたＴＳデータＤ４の状態で、予めユーザに録画予約された番組の映像コンテンツを所定のコンテンツリストに従ってハードディスクドライブ１８に記憶し格納し得るようになされている。
【００２７】
なお地上ディジタル受信機５の制御部１０は、録画予約の内容に従って映像コンテンツを録画するだけでなく、予め登録されたユーザの嗜好を表すキーワードに関連した映像コンテンツを順次ハードディスクドライブ１８に記憶し格納し得るようにもなされている。
【００２８】
さらに地上ディジタル受信機５の制御部１０は、通信インタフェース部２０を介して、インターネット７経由で放送局２のＶＯＤサーバ３と接続し得るようになされており、当該ＶＯＤサーバ３から種々の映像コンテンツをダウンロードし得るようになされている。
【００２９】
（３）ＶＯＤサーバの構成
図３に示すようにＶＯＤサーバ３は、バス３３を介してＣＰＵ３０に対し、ＲＯＭ３１、ＲＡＭ(Random  Access  Memory)３２、ハードディスクドライブ３４及びネットワークインタフェース３５が接続された構成を有する。
【００３０】
このＶＯＤサーバ３のＣＰＵ３０は、ＲＯＭ３１のブートプログラムに従ってハードディスクドライブ３４から基本プログラムを読み出してＲＡＭ３２上に展開し、その基本プログラムに従って全体を統括制御すると共に、映像コンテンツの管理、配信処理等を実行するようになされている。
【００３１】
またＶＯＤサーバ３のＣＰＵ３０は、ネットワークインタフェース３５を介してインターネット７（図１）と接続されており、外部の地上ディジタル受信機５と相互にデータを授受し得るようになされている。
【００３２】
（４）消去コンテンツに対するＶＯＤ権利取得処理シーケンス
続いて、ビデオオンデマンドシステム１における地上ディジタル受信機５では、ハードディスクドライブ１８に対して映像コンテンツを大量に格納しておくことができるものの、その容量には限界があり、多数の映像コンテンツのなかから、ユーザが最も不要と考える映像コンテンツをいずれ消去しなければならなくなる。
【００３３】
しかしながらユーザにとっては、完全に消去してしまうと、後で再度その映像コンテンツを見たくなった場合に、ビデオレンタル店まで出向いて借りに行かなければならなかったり、インターネット経由でその映像コンテンツを探し出して入手する等の面倒な手間がかかることになる。
【００３４】
すなわちユーザは、一度見て完全に不要と感じた映像コンテンツについては完全消去してしまえば良いが、一度見た後に再度見たくなる可能性がある映像コンテンツや、一度も見ていないがやはり見たくなるかもしれないような映像コンテンツに対しては完全に消去したくないという心理がある。
【００３５】
そこで、このビデオオンデマンドシステム１では、地上ディジタル受信機５のハードディスクドライブ１８から不要な映像コンテンツを消去するものの、ユーザが再度見たいと思ったときに、直ちにその映像コンテンツを取得することができるようになされており、その点を図４の消去済み映像コンテンツに対するＶＯＤ権利取得処理シーケンスにより詳細に説明する。
【００３６】
因みに、地上ディジタル受信機５が映像コンテンツを消去する場合としては、当該地上ディジタル受信機５が自動的に映像コンテンツを記録したが、ユーザが視聴することなく消去してしまうケースや、ユーザが一度視聴した後に消去するケースがある。
【００３７】
また、地上ディジタル受信機５が映像コンテンツを消去する場合としては、当該地上ディジタル受信機５がユーザによる録画予約や選択録画により映像コンテンツを記録したが、ユーザが視聴することなく消去してしまうケースや、ユーザが一度視聴した後に消去するケースがある。
【００３８】
なお、このビデオオンデマンドシステム１では、地上ディジタル受信機５の制御部１０がハードディスクドライブ１８に予めインストールされたアプリケーションプログラムであるコンテンツ受信側管理プログラムに従ってＶＯＤ権利取得処理シーケンスを実行するようになされている。
【００３９】
またビデオオンデマンドシステム１では、ＶＯＤサーバ３のＣＰＵ３０がハードディスクドライブ３４にインストールされたアプリケーションプログラムであるコンテンツ提供側管理プログラムに従ってＶＯＤ権利取得処理シーケンスを実行するようになされている。
【００４０】
ステップＳＰ１において、地上ディジタル受信機５の制御部１０は、リモコン受光部１９を介してユーザから特定の映像コンテンツに対する消去命令を認識すると次のステップＳＰ２へ移る。
【００４１】
ステップＳＰ２において地上ディジタル受信機５の制御部１０は、ステップＳＰ１で認識した消去命令に対応する映像コンテンツをハードディスクドライブ１８から削除し、次のステップＳＰ３へ移る。
【００４２】
ステップＳＰ３において地上ディジタル受信機５の制御部１０は、放送局２のＶＯＤサーバ３から映像コンテンツを何時でも取得できるようにするためのＶＯＤ権利をユーザに取得させるか否かを促すＶＯＤ権利取得確認画面をテレビ６に対して表示し、次のステップＳＰ４へ移る。
【００４３】
ここで、図５に示すように地上ディジタル受信機５の制御部１０は、「ＶＯＤの権利を取得しますか？」の文字及び「Ｙｅｓ」アイコンＡＫ１及び「Ｎｏ」アイコンＡＫ２が含まれたＶＯＤ権利取得確認画面Ｇ１をテレビ６に対して表示する。
【００４４】
すなわち地上ディジタル受信機５では、ステップＳＰ２で消去命令に対応した映像コンテンツをハードディスクドライブ１８から削除したため、ユーザが再度その映像コンテンツを取得しようとしたときに手間がかかることを回避すべく、ＶＯＤ権利取得確認画面Ｇ１を介してＶＯＤサーバ３に対するＶＯＤ権利を取得させるようになされている。
【００４５】
ステップＳＰ４において地上ディジタル受信機５の制御部１０は、ＶＯＤ権利取得確認画面Ｇ１において「Ｙｅｓ」アイコンＡＫ１がユーザによって選択されたとき、それは消去した映像コンテンツに対するＶＯＤ権利を取得する意思表示であることを確認し得、次のステップＳＰ５へ移る。
【００４６】
なお地上ディジタル受信機５の制御部１０は、ＶＯＤ権利取得確認画面Ｇ１において「Ｎｏ」アイコンＡＫ２がユーザによって選択されたとき、それは消去した映像コンテンツに対するＶＯＤ権利の取得意思がなく、ユーザにとっては消去後に視聴を希望する可能性が極めて低いことを確認し、処理を終了する。
【００４７】
ステップＳＰ５において地上ディジタル受信機５の制御部１０は、ステップＳＰ４でユーザのＶＯＤ権利取得意思を確認できたため、その映像コンテンツに関するコンテンツ情報（その映像コンテンツを特定可能なコンテンツＩＤ(Identification)等）を放送局２のＶＯＤサーバ３へ送信することにより利用通知を行い、次のＶＯＤサーバ３によるステップＳＰ６へ移る。
【００４８】
ステップＳＰ６においてＶＯＤサーバ３のＣＰＵ３０は、地上ディジタル受信機５から映像コンテンツに対する利用通知を受けたので、ＶＯＤ権利を与える際の課金確認画面データを生成して地上ディジタル受信機５へ送信し、次の地上ディジタル受信機５によるステップＳＰ７へ移る。
【００４９】
ステップＳＰ７において地上ディジタル受信機５の制御部１０は、図６に示すように、ＶＯＤサーバ３から受信した課金確認画面データに対応した課金確認画面Ｇ２を表示することにより課金案内を行う。
【００５０】
この課金確認画面Ｇ２には、「ＶＯＤの権利の取得には、１コンテンツ当たり、５０円課金されます。よろしいですか？」の文字及び「Ｙｅｓ」アイコンＡＫ３及び「Ｎｏ」アイコンＡＫ４が含まれている。
【００５１】
ステップＳＰ８において地上ディジタル受信機５の制御部１０は、課金確認画面Ｇ２において「Ｙｅｓ」アイコンＡＫ３がユーザによって選択されたとき、それは映像コンテンツに対するＶＯＤ権利を取得する代わりに課金されることをユーザが了承した意思表示であることを確認し、次のステップＳＰ９へ移る。
【００５２】
ステップＳＰ９において地上ディジタル受信機５の制御部１０は、「Ｙｅｓ」アイコンＡＫ３が選択されたことに応じて課金了承通知をＶＯＤサーバ３へ行い、次のＶＯＤサーバ３によるステップＳＰ１０へ移る。
【００５３】
ステップＳＰ１０においてＶＯＤサーバ３のＣＰＵ３０は、地上ディジタル受信機５からの課金了承通知を受けたことに応じて、地上ディジタル受信機５へＶＯＤ権利を与えたことに対する対価として１映像コンテンツ当たり５０円の課金処理を実行し、次のステップＳＰ１１へ移る。
【００５４】
ステップＳＰ１１においてＶＯＤサーバ３のＣＰＵ３０は、地上ディジタル受信機５が消去した映像コンテンツに対してＶＯＤ権利を与えるべく、その映像コンテンツを記憶しているハードディスクドライブ３４の格納場所を示すアクセス先と、当該ＶＯＤ権利を与えたことに対する固有のユーザＩＤとを地上ディジタル受信機５へインターネット７経由で通知した後、ＶＯＤサーバ３における処理を終了する。
【００５５】
ステップＳＰ１２において地上ディジタル受信機５の制御部１０は、ハードディスクドライブ１８から消去した映像コンテンツに対応付けて、ＶＯＤサーバ３から通知されたその映像コンテンツのアクセス先及びユーザＩＤを記憶することによりコンテンツリストを更新し、当該地上ディジタル受信機５による処理を終了する。
【００５６】
ここで図７に示すように地上ディジタル受信機５が管理するコンテンツリストＣＬには、各種映像コンテンツの「タイトル」情報と、ハードディスクドライブ１８に保存されているか消去されたかを示す「保存有無（「保存中：○」又は「消去済：×」）」情報とが管理情報として保存されている。
【００５７】
またコンテンツリストＣＬには、ハードディスクドライブ１８から消去された映像コンテンツであって、ＶＯＤサーバ３からＶＯＤ権利が取得されているものについてはその「アクセス先、ユーザＩＤ」情報と、各種映像コンテンツに対する「嗜好度」情報とについても管理情報として保存されている。
【００５８】
すなわち地上ディジタル受信機５の制御部１０は、コンテンツリストＣＬの内容として、ハードディスクドライブ１８から消去した映像コンテンツに対しても、その「タイトル」情報を残し、消去済み映像コンテンツと、「アクセス先、ユーザＩＤ」情報によって示されるＶＯＤサーバ３の格納場所とを紐付けることにより、消去済み映像コンテンツについても、消去前と同様に管理し得るようになされている。
【００５９】
従って地上ディジタル受信機５の制御部１０は、消去済み映像コンテンツであっても、ＶＯＤ権利を取得したものについては、「アクセス先、ユーザＩＤ」情報に従ってＶＯＤサーバ３に対してアクセスし得、当該ＶＯＤサーバ３から何時でも消去済み映像コンテンツを取得し得るようになされている。
【００６０】
（５）嗜好度再計算処理
ところで地上ディジタル受信機５の制御部１０は、ユーザによって予め登録されたキーワードと、放送局２からデータ放送により受信したＥＰＧデータのキーワードとが一致した映像コンテンツをユーザの嗜好に合致していると推測し、その映像コンテンツをハードディスクドライブ１８に記録するようになされている。
【００６１】
このとき地上ディジタル受信機５の制御部１０は、ハードディスクドライブ１８に映像コンテンツを記録した際、図８に示すような嗜好度算出の加減算値表ＴＢに従い、嗜好度として「＋１」を与え、さらに、その映像コンテンツがハードディスクドライブ１８から読み出されて視聴される度に嗜好度として「＋１」を加算するようになされている。
【００６２】
従って地上ディジタル受信機５の制御部１０は、例えばハードディスクドライブ１８にタイトル「映画「ＡＢＣ」」の映像コンテンツを記録し、その後その映像コンテンツがハードディスクドライブ１８から１度だけ読み出されて視聴されると、その嗜好度は「２」となる。
【００６３】
また地上ディジタル受信機５の制御部１０は、例えばハードディスクドライブ１８にタイトル「ドラマ「ＰＱＲ」」の映像コンテンツを記録し、その後その映像コンテンツがハードディスクドライブ１８から２度読み出されて視聴されると、その嗜好度は最終的に「３」となる。
【００６４】
実際上、地上ディジタル受信機５の制御部１０は、ハードディスクドライブ１８の空き容量が無くなったときに、最も不要と思われる映像コンテンツから順番に削除する際、この嗜好度を用いるようになされており、嗜好度の値が最も低いものから順番に削除する。
【００６５】
ところで地上ディジタル受信機５の制御部１０では、映像コンテンツをハードディスクドライブ１８から消去すると、加減算値表ＴＢ（図８）に従い、嗜好度の値に「−１」を加算する一方、ＶＯＤ権利を取得すると、嗜好度の値に「＋１」を加算することにより、当該映像コンテンツに対するユーザの嗜好を正確に反映し得るようになされている。
【００６６】
従って地上ディジタル受信機５の制御部１０は、例えばタイトル「サッカー「日本×韓国」」の映像コンテンツをハードディスクドライブ１８に記録したとき、その嗜好度の値が「１」となり、その後視聴されたとき嗜好度の値が「２」となった後、ハードディスクドライブ１８からの消去によって嗜好度の値が「１」となり、ＶＯＤ権利を取得したことにより嗜好度の値が最終的に「２」となる。
【００６７】
従って地上ディジタル受信機５では、コンテンツリストＣＬにより消去済み映像コンテンツに対しても、その嗜好度を管理することが出来るため、嗜好度が高い消去済み映像コンテンツについてはＶＯＤサーバ３からダウンロードした際に、再度ハードディスクドライブ１８に記録して保持すべきことをユーザに対して促し得るようにもなされている。
【００６８】
（６）ＣＭ入換処理
ところで放送局２のＶＯＤサーバ３は、地上ディジタル受信機５がハードディスクドライブ１８から消去した消去済み映像コンテンツに対してＶＯＤ権利を与えた後、当該地上ディジタル受信機５からその消去済み映像コンテンツに対する取得要求（アクセス先及びユーザＩＤ）を受ける。
【００６９】
このときＶＯＤサーバ３のＣＰＵ３０は、アクセス先に対応したハードディスクドライブ３４の格納場所から映像コンテンツを読み出し、当該映像コンテンツの合間に既に挿入されているコマーシャル（ＣＭ）に代えて、現時点における最新のコマーシャルを当該映像コンテンツの合間に挿入し直すことにより、ＣＭ入り映像コンテンツを新たに生成する。
【００７０】
そしてＶＯＤサーバ３のＣＰＵ３０は、そのＣＭ入り映像コンテンツを地上ディジタル受信機５へインターネット７経由で提供することにより、ＣＭ入り映像コンテンツを視聴するユーザに対して最新のコマーシャルを目視させることができるようになされている。
【００７１】
この場合、ビデオオンデマンドシステム１では、ＣＭ入り映像コンテンツを聴取しているユーザに対して、古いコマーシャルを目視確認させる場合に比べて、ＣＭ入り映像コンテンツに最新のコマーシャルが挿入されているので、コンテンツ自体を古く感じさせることがなく、あたかも新しい映像コンテンツであるかのように印象付けることができるようになされている。
【００７２】
（７）動作及び効果
以上の構成において、ビデオオンデマンドシステム１の地上ディジタル受信機５は、そのハードディスクドライブ１８からユーザにとって不要と思われる映像コンテンツを消去したとしても、ＶＯＤサーバ３からその映像コンテンツに関するＶＯＤ権利を取得し、そのアクセス先のハードディスクドライブ３４から何時でも消去済み映像コンテンツを取得できるようにしておく。
【００７３】
これにより地上ディジタル受信機５では、従来のように消去対象となる映像コンテンツをＤＶＤ(Digital  Versatile  Disc)等の記録媒体にコピーして保存しておく必要がなく、またそのような面倒な手間をかけさせずに済む。
【００７４】
従って地上ディジタル受信機５では、ハードディスクドライブ１８から映像コンテンツを一旦消去した場合であっても、再度取得する際に何ら面倒な手間や操作をユーザに強いることなく、コンテンツリストＣＬに従って容易かつ短時間で消去済み映像コンテンツを取得することができる。
【００７５】
すなわち地上ディジタル受信機５では、その容量に限界のあるハードディスクドライブ１８に対し、ユーザにとって価値の高い映像コンテンツだけを保存し、当該ハードディスクドライブ１８の空き容量を十分に確保し得ると共に、消去済み映像コンテンツについても何時でも取得し得るため、ユーザにとってはハードディスクドライブ１８の容量があたかも拡大したかのように当該ハードディスクドライブ１８を使用させることができる。
【００７６】
また地上ディジタル受信機５は、ハードディスクドライブ１８から消去した消去済み映像コンテンツについてもコンテンツリストＣＬによって保存有無を管理し得ると共に、ＶＯＤサーバ３からＶＯＤ権利を取得してアクセス先及びユーザＩＤについても管理し得ることにより、何時でもＶＯＤサーバ３から消去済み映像コンテンツを取得し、ユーザにとっては消去した実感を持たせることなく消去済み映像コンテンツを取り扱わせることができる。
【００７７】
さらにビデオオンデマンドシステム１では、ＶＯＤサーバ３が例えばＤＶＤ１枚の購入価格よりも低廉な金額でＶＯＤ権利を地上ディジタル受信機５のユーザに与えるようにすれば、ＤＶＤに映像コンテンツをダビングするよりも、低コストで何時でも映像コンテンツを取得できるという利便性をユーザに提供することができる。
【００７８】
以上の構成によれば、ビデオオンデマンドシステム１は、地上ディジタル受信機５がハードディスクドライブ１８から映像コンテンツを消去した際、その消去済み映像コンテンツに対するＶＯＤ権利をＶＯＤサーバ３から購入させ、消去済み映像コンテンツに対してデータ格納先となるアクセス先をコンテンツリストＣＬによって管理するようにしたことにより、一度削除した映像コンテンツを何時でも容易に再取得することができる。
【００７９】
（８）他の実施の形態
なお上述の実施の形態においては、地上テレビジョン放送の映像コンテンツをハードディスクドライブ１８に記録する地上ディジタル受信機５に本発明を適用するようにした場合について述べたが、本発明はこれに限らず、インターネット経由でダウンロードした映像コンテンツをデータ格納媒体に記録するパーソナルコンピュータ、ＰＤＡ、携帯電話機及びゲーム機器等の電子機器に適用するようにしても良い。
【００８０】
また上述の実施の形態においては、視聴権利としてのＶＯＤ権利を取得させる際、課金するようにした場合について述べたが、本発明はこれに限らず、ＶＯＤ権利を無料で取得させるようにしても良い。
【００８１】
さらに上述の実施の形態においては、ハードディスクドライブ１８から映像コンテンツを消去した後に、ＶＯＤ権利を取得させるようにした場合について述べたが、本発明はこれに限らず、ハードディスクドライブ１８から映像コンテンツを消去する前に、ＶＯＤ権利を取得させるようにしても良い。
【００８２】
さらに上述の実施の形態においては、ハードディスクドライブ１８からその映像コンテンツを全部消去してしまうようにした場合について述べたが、本発明はこれに限らず、映像コンテンツを消去する際、その一部だけを残し、コンテンツリストＣＬで消去済み映像コンテンツの一部を管理するようにしても良い。
【００８３】
この場合、地上ディジタル受信機５の制御部１０は、ＶＯＤサーバ３に対してアクセスすることなく、消去済み映像コンテンツの一部を再生してテレビ６に表示することができるので、ＶＯＤサーバ３とのアクセスに要する時間が不要で、ユーザからの要求に対して直ちに消去済み映像コンテンツの内容を、その一部の動画によってユーザに目視確認させることができる。
【００８４】
さらに上述の実施の形態においては、地上ディジタル受信機５の制御部１０がコンテンツリストＣＬを管理するようにした場合について述べたが、本発明はこれに限らず、ＶＯＤサーバ３のＣＰＵ３０がユーザ固有のユーザＩＤと対応付けてサーバ側でコンテンツリストＣＬを管理したり、地上ディジタル受信機５及びＶＯＤサーバ３の双方でコンテンツリストＣＬを管理するようにしても良い。
【００８５】
さらに上述の実施の形態においては、ハードディスクドライブ１８からその映像コンテンツを全部消去してしまうようにした場合について述べたが、本発明はこれに限らず、映像コンテンツを消去する際、当該映像コンテンツの代表的なシーンを示す静止画だけを残し、コンテンツリストＣＬでその静止画を管理するようにしても良い。
【００８６】
この場合、地上ディジタル受信機５の制御部１０は、ＶＯＤサーバ３に対してアクセスすることなく、消去済み映像コンテンツの代表的なシーンを示す静止画を再生してテレビ６に表示することができるので、ＶＯＤサーバ３とのアクセスに要する時間が不要で、ユーザからの要求に対して直ちに消去済み映像コンテンツの内容を静止画によってユーザに目視確認させることができる。
【００８７】
さらに上述の実施の形態においては、ハードディスクドライブ１８から映像コンテンツを消去した後に、その映像コンテンツに対するＶＯＤ権利を取得させるようにした場合について述べたが、本発明はこれに限らず、その映像コンテンツに関連したサウンドトラック等の音楽コンテンツや特典映像の付加されたＤＶＤ(Digital  Versatile  Disc)等の販売情報をＶＯＤ権利取得画面Ｇ１に付随させて表示したり、その映像コンテンツがシリーズものであった場合には、不足分の映像コンテンツについてもＶＯＤ権利取得画面Ｇ１を介してリコメンドするようにしても良い。
【００８８】
さらに上述の実施の形態においては、ハードディスクドライブ１８から映像コンテンツを消去した直後、先行予約の形態でその映像コンテンツに対するＶＯＤ権利を取得する際に課金確認画面Ｇ２を介して課金処理を行うようにした場合について述べたが、本発明はこれに限らず、映像コンテンツを消去した直後にＶＯＤ権利を取得するのではなく、ユーザが実際に見る直前のＶＯＤ権利を取得する際に課金確認画面Ｇ２を介して課金処理を行うようにしても良い。この場合、先行予約の形態でＶＯＤ権利を取得する場合と、見る直前にＶＯＤ権利を取得する場合とでは、課金金額を変更すれば良い。
【００８９】
さらに上述の実施の形態においては、コンテンツとして映像コンテンツを対象とした場合について述べたが、本発明はこれに限らず、音楽コンテンツ、ゲームコンテンツ等のその他種々のコンテンツを対象とするようにしても良い。
【００９０】
さらに上述の実施の形態においては、地上ディジタル受信機５のハードディスクドライブ１８に予めインストールしたコンテンツ受信側管理プログラム及びＶＯＤサーバ３のハードディスクドライブ３４に予めインストールしたコンテンツ提供側管理プログラムに従って上述の消去済み映像コンテンツに対するＶＯＤ権利取得処理シーケンスを実行するようにした場合について述べたが、本発明はこれに限らず、記録媒体からインストールしたコンテンツ受信側管理プログラム及びコンテンツ提供側管理プログラムや、インターネットからダウンロードしたコンテンツ受信側管理プログラム及びコンテンツ提供側管理プログラム、その他種々のルートによってインストールしたコンテンツ受信側管理プログラム及びコンテンツ提供側管理プログラムに従って上述したＶＯＤ権利取得処理シーケンス（図４）を実行するようにしても良い。
【００９１】
さらに上述の実施の形態においては、コンテンツ記録再生装置としての地上ディジタル受信機５と、コンテンツ提供サーバとしてのＶＯＤサーバ３とによってコンテンツ提供システムとしてのビデオオンデマンドシステム１を構成するようにした場合について述べたが、本発明はこれに限らず、コンテンツ記録再生装置としてパーソナルコンピュータ、ハードディスクレコーダや携帯型音楽プレーヤと、コンテンツ提供サーバとしてビデオオンデマンド機能を持たない音楽コンテンツ配信サーバやゲームコンテンツサーバとによってコンテンツ提供システムを構成するようにしても良い。
【００９２】
さらに上述の実施の形態においては、コンテンツ取得手段としてのアンテナＡＮＴ、選局部１１又は通信インタフェース部２０と、記憶手段、コンテンツ消去手段及びコンテンツ管理手段としての制御部１０とによってコンテンツ記録再生装置としての地上ディジタル受信機５を構成し、コンテンツ送信手段としてのネットワークインタフェース３５と、アクセス先情報通知手段としてのＣＰＵ３０とによってコンテンツ提供サーバとしてのＶＯＤサーバ３を構成するようにした場合について述べたが、本発明はこれに限らず、その他種々の構成でなるコンテンツ取得手段、記憶手段、コンテンツ消去手段及びコンテンツ管理手段によってコンテンツ記録再生装置を構成し、コンテンツ送信手段及びアクセス先情報通知手段によってコンテンツ提供サーバを構成するようにしても良い。
【産業上の利用可能性】
【００９３】
本発明のコンテンツ提供システム、コンテンツ提供方法、コンテンツ記録再生装置、コンテンツ記録再生方法、コンテンツ受信側管理プログラム、コンテンツ提供サーバ、コンテンツ提供方法及びコンテンツ提供側管理プログラムは、例えば映像コンテンツを記録再生する地上ディジタル受信機以外にも、映像コンテンツを記録再生可能なパーソナルコンピュータ、所謂ワンセグ携帯電話機、カーナビゲーション装置等に適用して好適なものである。
【図面の簡単な説明】
【００９４】
【図１】ビデオオンデマンドシステムの構成を示す略線図である。
【図２】地上ディジタル受信機の構成を示す略線的ブロック図である。
【図３】ＶＯＤサーバの構成を示す略線図である。
【図４】消去コンテンツに対するＶＯＤ権利取得処理シーケンスを示す略線図である。
【図５】ＶＯＤ権利取得確認画面を示す略線図である。
【図６】課金確認画面を示す略線図である。
【図７】コンテンツリストを示す略線図である。
【図８】嗜好度算出の加減算値表を示す略線図である。
【符号の説明】
【００９５】
１……ビデオオンデマンドシステム、２……放送局、３……ＶＯＤサーバ、４……放送塔、５……地上ディジタル受信機、６……テレビ、７……インターネット、１０……制御部、１１……選局部、１２……復調部、１３……誤り訂正部、１４……多重分離部、１５ＭＰＥＧデコード部、１６……画像重畳部、１７……音声出力部、１８、３４……ハードディスクドライブ、１９……リモコン受光部、２０……通信インタフェース部、３０……ＣＰＵ、３１……ＲＯＭ、３２……ＲＡＭ、３３……バス、３５……ネットワークインタフェース。
【図１】
2009071456.tif 000003
【図２】
2009071456.tif 000004
【図３】
2009071456.tif 000005
【図４】
2009071456.tif 000006
【図５】
2009071456.tif 000007
【図６】
2009071456.tif 000008
【図７】
2009071456.tif 000009
【図８】
2009071456.tif 000010